【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
筒状パリソンを、成形品成形用キャビティを有する成形金型内に収納し、
該成形金型を型閉して前記筒状パリソンの一方端を閉塞すると共に、他方端を切断し、
前記筒状パリソン内に前記切断した他方端側からエア吹込ノズルを挿入して、該ノズルを介してエアを吹込んで中空成形品にブロー成形する方法において、
撮像装置を前記成形金型のカウンタープレートのテーパ部に、前記撮像装置の中心位置をそのテーパ部の中心位置に合致させて載置し、
前記撮像装置からカウンタープレートの前記テーパ部に対向して上下動するフレームに支持されてパリソン内に挿入されるエア吹込ノズルの中心位置に関する画像情報を取り出し、
この画像情報を画像処理装置で演算・処理して、カウンタープレートの前記テーパ部の中心位置に対する前記エア吹込ノズルの中心位置の変位度あるいは同心度を算出し、この変位度あるいは同心度を用いて前記エア吹込ノズルの中心位置をカウンタープレートの前記テーパ部の中心位置に調整する
ことを特徴とするブロー成形法。
【請求項２】
前記エア吹込ノズルの中心位置の調整は、前記画像処理装置で演算・処理して算出された変位度あるいは同心度を用いて前記エア吹込ノズルに装着されている、調整ねじを具備した調整ブラケットによって行われることを特徴とする請求項１記載のブロー成形法。
【請求項３】
前記エア吹込ノズルの中心位置の調整は、
成形金型のカウンタープレートの前記テーパ部に対向して上下動するフレームに支持されてパリソン内に挿入される前記エア吹込ノズルを把持するエア吹込ノズル把持部と、
該エア吹込ノズル把持部が設けられ交差する２軸方向に移動可能な座標軸テーブルと、
該座標軸テーブルを交差する２軸方向に移動させるアクチュエータと、
前記撮像装置で取り出した前記エア吹込ノズルの中心位置に関する画像情報を演算・処理して、カウンタープレートの前記テーパ部の中心位置に対する前記エア吹込ノズルの中心位置の変位度あるいは同心度を算出する画像処理装置と、
算出した変位度あるいは同心度を前記アクチュエータに駆動信号として出力して前記座標軸テーブルを移動させるコントロールユニットとを備えたエア吹込ノズルの芯出調整機構によって行われることを特徴とする請求項１記載のブロー成形法。
【請求項４】
中心位置を成形金型のカウンタープレートの前記テーパ部の中心位置に合致させて載置して、前記エア吹込ノズルの中心位置に関する画像情報を取り出す撮像装置と、
該撮像装置で取り出した前記エア吹込ノズルの中心位置に関する画像情報を演算・処理して、カウンタープレートの前記テーパ部の中心位置に対する前記エア吹込ノズルの中心位置の変位度あるいは同心度を算出する画像処理装置と、
前記エア吹込ノズルに装着されて、前記画像処理装置で演算・処理して算出された変位度あるいは同心度を用いて調整ねじによって前記エア吹込ノズルの芯出調整を行う調整ブラケットとを具備したことを特徴とする中空成形機。
【請求項５】
成形金型のカウンタープレートのテーパ部に対向して上下動するフレームに支持されてパリソン内に挿入されるエア吹込ノズルを把持するエア吹込ノズル把持部と、
このエア吹込ノズル把持部が設けられ交差する２軸方向に移動可能な座標軸テーブルと、
この座標軸テーブルを交差する２軸方向に移動させるアクチュエータと、
中心位置を前記成形金型のカウンタープレートのテーパ部の中心位置に合致させて載置して、前記エア吹込ノズルの中心位置に関する画像情報を取り出す撮像装置と、
前記撮像装置で取り出した前記エア吹込ノズルの中心位置に関する画像情報を演算・処理して、カウンタープレートの前記テーパ部の中心位置に対する前記エア吹込ノズルの中心位置の変位度あるいは同心度を算出する画像処理装置と、
算出した変位度あるいは同心度を前記アクチュエータに駆動信号として出力して前記座標軸テーブルを移動させるコントロールユニットとを備えたエア吹込ノズルの芯出調整機構を具備したことを特徴とする中空成形機。
【手続補正２】
【補正対象書類名】明細書
【補正対象項目名】発明の名称
【補正方法】変更
【補正の内容】
【発明の名称】ブロー成形法および中空成形機
【手続補正３】
【補正対象書類名】明細書
【補正対象項目名】０００１
【補正方法】変更
【補正の内容】
【０００１】
本発明は、ブロー成形法および中空成形機に関し、特にブロー成形用成形金型のカウンタープレートに穿設したテーパ部の中心位置にエア吹込ノズルの中心位置を合わせるブロー成形法におけるエア吹込ノズルの芯出方法および装置に関する。
【手続補正４】
【補正対象書類名】明細書
【補正対象項目名】０００７
【補正方法】変更
【補正の内容】
【０００７】
第１は、ブロー成形用金型の口金（カウンタープレート）に対向する上下動フレームに支持されパリソン内に打ち込まれるブローピンを把持するためのブローピン把持部と、このブローピン把持部が設けられＸ軸およびＹ軸方向に移動可能な座標軸テーブルと、この座標軸テーブルをＸ軸方向およびＹ軸方向に移動させるアクチュエータと、前記ブローピン把持部にブローピンと交換可能に取り付けられ前記口金（カウンタープレート）の中心位置を検出するための接触式位置検出センサと、この接触式位置検出センサからの信号に応じて前記アクチュエータに駆動信号を出力するコントロールユニットとを備えた中空成形機の打込装置である(例えば、特許文献１参照。)。
第２は、中空成形機の打込装置が作動してブローノズルが金型の口金（カウンタープレート）に挿入されたとき、ブローノズルの直径方向で相対向する少なくとも四方からブローノズル又はそれに付設した心出ノズルに向け流体を吹き付けてそれぞれの背圧又は流量を測定し、その測定値をプログラマブルコントローラにて比較演算し、それぞれの背圧の差がなくなるようにブローノズルを支持する座標軸テーブルをＸ軸及びＹ軸方向に移動させる中空成形機の打込自動心出方法である(例えば、特許文献２参照。)。
第３は、中空成形機の打込装置を下降させ、金型上面にセットされた打込心出装置にブローピンを挿入し、ブローピンに直交方向で相対向する少なくとも四方からブローピンに向け流体を吹き付けて各々の背圧又は流量を測定し、これらの値が一定となるようにブローピンの位置を手動にて調節する中空成形機におけるブローピンの打込心出方法である(例えば、特許文献３参照。)。
【特許文献１】特開平４−１７５１４２号
【特許文献２】特開平７−６０８２８
【特許文献３】特開平７−２７６４８７
【手続補正５】
【補正対象書類名】明細書
【補正対象項目名】００１１
【補正方法】変更
【補正の内容】
【００１１】
本発明は、上記の技術的課題を解決するために、請求項１に記載の発明は、筒状パリソンを、成形品成形用キャビティを有する成形金型内に収納し、成形金型を型閉して前記筒状パリソンの一方端を閉塞すると共に、他方端を切断し、前記筒状パリソン内に前記切断した他方端からエア吹込ノズルを挿入して、該ノズルを介してエアを吹込んで中空成形品にブロー成形する方法において、撮像装置を前記成形金型のカウンタープレートのテーパ部に、前記撮像装置の中心位置をそのテーパ部の中心位置に合致させて載置し、前記撮像装置からカウンタープレートの前記テーパ部に対向して上下動するフレームに支持されてパリソン内に挿入されるエア吹込ノズルの中心位置に関する画像情報を取り出し、この画像情報を画像処理装置で演算・処理して、カウンタープレートのテーパ部の中心位置に対するエア吹込ノズルの中心位置の変位度あるいは同心度を算出し、この変位度あるいは同心度を用いて前記エア吹込ノズルの中心位置をカウンタープレートの前記テーパ部の中心位置に調整するブロー成形法である。
【手続補正６】
【補正対象書類名】明細書
【補正対象項目名】００１２
【補正方法】変更
【補正の内容】
【００１２】
請求項２に記載の発明は、請求項１に記載のブロー成形法において、前記エア吹込ノズルの中心位置の調整が、前記画像処理装置で演算・処理して算出された変位度あるいは同心度を用いて前記エア吹込ノズルに装着されている、調整ねじを具備した調整ブラケットによって行われることを特徴としている。
【手続補正７】
【補正対象書類名】明細書
【補正対象項目名】００１３
【補正方法】変更
【補正の内容】
【００１３】
請求項３に記載の発明は、請求項１に記載のブロー成形法において、前記エア吹込ノズルの中心位置の調整が、成形金型のカウンタープレートの前記テーパ部に対向して上下動するフレームに支持されてパリソン内に挿入される前記エア吹込ノズルを把持するエア吹込ノズル把持部と、該エア吹込ノズル把持部が設けられ交差する２軸方向に移動可能な座標軸テーブルと、該座標軸テーブルを交差する２軸方向に移動させるアクチュエータと、前記撮像装置で取り出した前記エア吹込ノズルの中心位置に関する画像情報を演算・処理して、カウンタープレートの前記テーパ部の中心位置に対する前記エア吹込ノズルの中心位置の変位度あるいは同心度を算出する画像処理装置と、算出した変位度あるいは同心度を前記アクチュエータに駆動信号として出力して前記座標軸テーブルを移動させるコントロールユニットとを備えたエア吹込ノズルの芯出調整機構によって行われることを特徴としている。
また、請求項４に記載の発明は、中心位置を成形金型のカウンタープレートの前記テーパ部の中心位置に合致させて載置して、前記エア吹込ノズルの中心位置に関する画像情報を取り出す撮像装置と、該撮像装置で取り出した前記エア吹込ノズルの中心位置に関する画像情報を演算・処理して、カウンタープレートの前記テーパ部の中心位置に対する前記エア吹込ノズルの中心位置の変位度あるいは同心度を算出する画像処理装置と、前記エア吹込ノズルに装着されて、前記画像処理装置で演算・処理して算出された変位度あるいは同心度を用いて調整ねじによって前記エア吹込ノズルの芯出調整を行う調整ブラケットとを具備した中空成形機である。
さらに、請求項５に記載の発明は、成形金型のカウンタープレートのテーパ部に対向して上下動するフレームに支持されてパリソン内に挿入されるエア吹込ノズルを把持するエア吹込ノズル把持部と、このエア吹込ノズル把持部が設けられ交差する２軸方向に移動可能な座標軸テーブルと、この座標軸テーブルを交差する２軸方向に移動させるアクチュエータと、中心位置を前記成形金型のカウンタープレートのテーパ部の中心位置に合致させて載置して、前記エア吹込ノズルの中心位置に関する画像情報を取り出す撮像装置と、前記撮像装置で取り出した前記エア吹込ノズルの中心位置に関する画像情報を演算・処理して、カウンタープレートの前記テーパ部の中心位置に対する前記エア吹込ノズルの中心位置の変位度あるいは同心度を算出する画像処理装置と、算出した変位度あるいは同心度を前記アクチュエータに駆動信号として出力して前記座標軸テーブルを移動させるコントロールユニットとを備えたエア吹込ノズルの芯出調整機構を具備した中空成形機である。
【手続補正８】
【補正対象書類名】明細書
【補正対象項目名】００１８
【補正方法】変更
【補正の内容】
【００１８】
これらにより、確実な芯出作業が行われ、良好に中空成形品が成形され、また、カッテングスリーブやカウンタープレートが損傷を生じることなく好適に機能できるエア吹込ノズルの芯出方法および装置である。
【手続補正９】
【補正対象書類名】明細書
【補正対象項目名】００４７
【補正方法】変更
【補正の内容】
【００４７】
エア吹込ノズルの中心位置の調整は、例えば図５に示す吹込本体２の下方フレーム１９に装着されている調整ブラケット８や、図６に示すコントロールユニットとを備えた調整機構９によって行われる。
【手続補正１０】
【補正対象書類名】明細書
【補正対象項目名】００５６
【補正方法】変更
【補正の内容】
【００５６】
以上説明したように、本発明は、中空成形品のブロー成形法および中空成形機において、エア吹込ノズルの中心位置に関する画像情報を、基準となる成形金型のカッティングプレートに穿設したテーパ部の中心位置にその中心位置を合致させて載置した撮像装置を用いて取り出し、この画像情報を演算・処理してカッティングプレートのテーパ部の中心位置に対するエア吹込ノズルの中心位置の隔たりの程度である変位度を算出・表示させ、この変位度を用いてエア吹込ノズルの中心位置を基準となるカッティングプレートのテーパ部の中心位置に調整され、調整は、調整ブラケットやコントロールユニットとを備えた調整機構によって行われるエア吹込ノズルの芯出方法および装置である。
【手続補正１１】
【補正対象書類名】明細書
【補正対象項目名】００６２
【補正方法】変更
【補正の内容】
【００６２】
以上これらによって、応答性に優れ、信頼性の高い芯出作業が行われ、良好に中空成形品が成形され、また、カッテングスリーブやカウンタープレートが損傷を生じることなく好適に機能できるブロー成形法におけるエア吹込ノズルの芯出方法および装置である。